(57)【要約】【課題】従来の紙製エプロンでは、本体とは別に、首に廻して結ぶ紐部分を作り、本体の左右上端付近に紐部分を粘着していたので、本体に紐部分を粘着させなければならず、手間が掛かってしまう。さらに、折り畳みもし難かった。【解決手段】本体３には首宛用凹部５と上腕宛用凹部７、９が形成されており、首周り用の帯状片１１は、展開状態で、本体３から延出し、左側の上腕宛用凹部７、９を外側から囲むように配置されており、帯状片１１の内側縁と首宛用凹部５と他方の上腕宛用凹部７、９はその間の紙シートの打抜きにより形成される。帯状片１１は破断予定の連結部２１を介して本体３と連結されている。また、本体３には、帯状片１１を差込むためのスリット１５が形成されている。【選択図】        図１
2010174420.tif 000002
【特許請求の範囲】
【請求項１】
紙シートの打抜き加工により形成され、胸覆い部を有する本体と、前記本体と一体的に形成された首周り取付部とを備えることを特徴とする紙製エプロン。
【請求項２】
請求項１に記載した紙製エプロンにおいて、本体には首宛用凹部と上腕宛用凹部が形成されており、首周り取付部は前記首宛用凹部と一方の上腕宛用凹部との間から延出した首周り用帯状片と、前記首宛用凹部と他方の上腕宛用凹部との間に形成された差込み用スリットとで構成され、前記首周り用帯状片の端部が前記差込み用スリットに差込まれて環状の首周り取付部を為すことを特徴とする紙製エプロン。
【請求項３】
請求項２に記載した紙製エプロンにおいて、展開状態では、首周り用帯状片は首宛用凹部と他方の上腕宛用凹部を外側から囲むように配置されており、前記首周り用帯状片の内側縁と前記首宛用凹部と他方の上腕宛用凹部はその間の紙シートの打抜きにより形成されることを特徴とする紙製エプロン。
【請求項４】
請求項３に記載した紙製エプロンにおいて、展開状態では、一対の腰周り用帯状片が本体の左右側縁からそれぞれ延出し、前記本体を外側から囲みながら下方に向かって配置されており、前記腰周り用帯状片の内側縁と前記本体の外側縁はその間の紙シートの打抜きにより形成されることを特徴とする紙製エプロン。
【請求項５】
請求項３または４に記載した紙製エプロンにおいて、首周り用帯状片や腰周り用帯状片の内側縁は本体と破断予定の連結部を介して連結されていることを特徴とする紙製エプロン。
【請求項６】
請求項１に記載した紙製エプロンにおいて、首周り取付部は環状に構成されており、前記環状部の内周縁には放射状に延びる複数の切込みが形成されていることを特徴とする紙製エプロン。
【発明の詳細な説明】
【技術分野】
【０００１】
本発明は、紙シートを打抜き加工することにより製造できる紙製エプロンに関するものである。
【背景技術】
【０００２】
従来から、焼肉レストランなどでは、衣服が汚れないように使い捨ての紙製エプロンを提供する場合がある。
【先行技術文献】
【特許文献】
【０００３】
【特許文献１】特開平１１−１３１３１０号公報
【発明の概要】
【発明が解決しようとする課題】
【０００４】
従来の紙製エプロンでは、特許文献１に記載のように、着用者の胸覆い部を有する本体とは別に、首に廻して結ぶ紐部分を作り、本体の左右上端付近に紐部分を粘着していた。従って、紙シートを裁断した後に、本体に紐部分を粘着させなければならず、手間が掛かってしまう。
さらに、焼肉レストランなどでは、紙製エプロンを四つ折りか八つ折りに折畳まれた状態で提供されるが、上記のように別体の紐部分が後で本体に粘着されたものは折畳みに手間が掛かってしまう。
それ故、本発明は、上記課題を解決するために、紙シートから一回の打抜き加工により製造できる紙製エプロンを提供することを目的とする。
【課題を解決するための手段】
【０００５】
上記課題を解決するために、請求項１の発明は、紙シートの打抜き加工により形成され、胸覆い部を有する本体と、前記本体と一体的に形成された首周り取付部とを備えることを特徴とする紙製エプロンである。
【０００６】
請求項２の発明は、請求項１に記載した紙製エプロンにおいて、本体には首宛用凹部と上腕宛用凹部が形成されており、首周り取付部は前記首宛用凹部と一方の上腕宛用凹部との間から延出した首周り用帯状片と、前記首宛用凹部と他方の上腕宛用凹部との間に形成された差込み用スリットとで構成され、前記首周り用帯状片の端部が前記差込み用スリットに差込まれて環状の首周り取付部を為すことを特徴とする紙製エプロンである。
【０００７】
請求項３の発明は、請求項２に記載した紙製エプロンにおいて、展開状態では、首周り用帯状片は首宛用凹部と他方の上腕宛用凹部を外側から囲むように配置されており、前記首周り用帯状片の内側縁と前記首宛用凹部と他方の上腕宛用凹部はその間の紙シートの打抜きにより形成されることを特徴とする紙製エプロンである。
【０００８】
請求項４の発明は、請求項３に記載した紙製エプロンにおいて、展開状態では、一対の腰周り用帯状片が本体の左右側縁からそれぞれ延出し、前記本体を外側から囲みながら下方に向かって配置されており、前記腰周り用帯状片の内側縁と前記本体の外側縁はその間の紙シートの打抜きにより形成されることを特徴とする紙製エプロンである。
【０００９】
請求項５の発明は、請求項３または４に記載した紙製エプロンにおいて、首周り用帯状片や腰周り用帯状片の内側縁は本体と破断予定の連結部を介して連結されていることを特徴とする紙製エプロンである。
【００１０】
請求項６の発明は、請求項１に記載した紙製エプロンにおいて、首周り取付部は環状に構成されており、前記環状部の内周縁には放射状に延びる複数の切込みが形成されていることを特徴とする紙製エプロンである。
【発明の効果】
【００１１】
本発明の紙製エプロンは、紙シートから一回の打抜き加工により製造できる。
【図面の簡単な説明】
【００１２】
【図１】本発明の第１の実施の形態に係る紙製エプロンの展開図である。
【図２】図１の紙製エプロンの着用状態の説明図である。
【図３】本発明の第２の実施の形態に係る紙製エプロンの展開図である。
【図４】図３の紙製エプロンの着用状態の説明図である。
【発明を実施するための形態】
【００１３】
本発明の第１の実施の形態に係る紙製エプロン１を、図１の展開図にしたがって説明する。
紙製エプロン１は、紙シートから一回の打ち抜き加工により形成されたものである。符号３は本体を示し、この本体３は縦長に形成されており、上部は胸覆い部に下部は腹覆い部になっている。本体３の上側縁の中心部分は下方に向かって湾曲状に凹んでおり、首宛用凹部５になっている。
【００１４】
この首宛用凹部５を挟んで左右両側の縁は、上側では内方に向かって比較的浅く湾曲状に凹んだ小凹部７になっており、その下側では内方に向かって比較的深く湾曲状に凹んだ大凹部９になっている。この２つの凹部７、９によって上腕宛用凹部が構成されており、上腕当接範囲が本体３から切除されている。この範囲が本体３側に残ると、紙製エプロン１を着用したときにこの範囲が上腕部にまとわり付き、着心地が悪いためである。また、上腕宛用凹部が２つの凹部７、９によって構成されているのは、紙製エプロン１を極力幅広にして衣服が汚れないようにするためである。
【００１５】
符号１１は首周り用帯状片を示し、この首周り用帯状片１１は首宛用凹部５と右側の小凹部７との間から延出している。
展開した状態では、首周り用帯状片１１は首宛用凹部５の上側を左側に水平に延びた後傾斜して、左側の上腕宛凹部を為す小凹部７、大凹部９に沿って下方に延びており、その端部１３は大凹部９の下端側まで到達している。このように首周り用帯状片１１は、紙シート上で首宛用凹部５と上腕宛用凹部（小凹部７、大凹部９）を外側から囲むように配置されている。
符号１５は線状の差込み用スリットを示し、この差込み用スリット１５は本体３の首宛用凹部５と左側の大凹部９との間に上下に延びた状態で形成されている。
【００１６】
符号１７は首当接範囲であり、この首当接範囲１７の切除により上側に首周り用帯状片１１の内側縁が形成され、下側に首宛用凹部５が形成される。
符号１９は切込み線を示し、この切込み線１９は首当接範囲１７の左端から本体３の左側の大凹部９まで延びている。切込み線１９の形成により外側に首周り用帯状片１１の内側縁が形成され、内側に小凹部７、大凹部９が形成される。
符号２１は破断予定の連結部を示し、この連結部２１は切込み線１９の途中に二箇所設けられている。
【００１７】
符号２３、２３は一対の腰周り用帯状片を示し、この腰周り用帯状片２３、２３は本体３の左右両側からそれぞれ延出している。
展開した状態では、各腰周り用帯状片２３は本体３から延出した後本体３を外側から囲みながら下方に向かい、その端部２５は本体３の下端と略面一になっている。
【００１８】
符号２７、２７は切込み線を示し、この切込み線２７、２７は各腰周り用帯状片２３、２３と本体３の左右側縁との間にそれぞれ延びている。左側の切込み線２７の形成により外側に左側の腰周り用帯状片２３の内側縁が形成され、内側に本体３の左側縁が形成される。また、右側の切込み線２７の形成により外側に右側の腰周り用帯状片２３の内側縁が形成され、内側に本体３の右側縁が形成される。
符号２９は破断予定の連結部を示し、この連結部２９は各切込み線２７の途中に二箇所ずつ設けられている。
【００１９】
一回の打抜き加工により、本体３と首周り用帯状片１１と腰周り用帯状片２３とからなる全体の外縁が打ち抜かれる。同時に、首当接範囲１７も打ち抜かれ、線打抜きにより切込み線１９、２７と差込み用スリット１５が形成されて、図１に示す展開状態の紙製エプロン１が製造される。
この紙製エプロン１では、首周り用帯状片１１と腰周り用帯状片２３が連結部２１、２９を介して本体３側に連結されているので、この連結部２１、２９を破断しない限りは首周り状帯状片１１と腰周り用帯状片２３は本体３に連結されて一枚のシート状になっている。従って、折畳みも容易である。
また、首周り状帯状片１１と腰周り用帯状片２３は本体３に沿って形成されているので紙シートのロスも少ない。
【００２０】
次に、紙製エプロン１の着用方法について説明する。
先ず、連結部２１を破断して首周り用帯状片１１を本体３からその延出部位を除いて分離する。また、連結部２９を破断して腰周り用帯状片２３を本体３からその延出部位を除いて分離する。
その後、本体３で胸や腹を覆った後、首周り用帯状片１１を首に廻した後、差込み用スリット１５にその端部１３を差込む。首周り状帯状片１１が長い場合には手で切断して適当な長さにした後にその端部を差込む。また、一対の腰周り用帯状片２３をそれぞれ後ろに廻して結ぶ。これにより着用が完了する。
【００２１】
本発明の第２の実施の形態に係る紙製エプロン３１を、図３の展開図にしたがって説明する。
この紙製エプロン３１も、紙シートから一回の打ち抜き加工により形成されたものである。紙製エプロン３１は子供用のものであり、その本体３３は縦に比較的短めに形成されている。符号３５は首周り取付部を示し、この首周り取付部３５は環状をしており、外周縁３７は隅が丸められた略方形状に形成され、内周縁３９は横長の楕円状に形成されている。首周り取付部３５の下側部分が本体３３の上部に連結されて一体になっている。首周り取付部３５と本体３３の連結部分の左右側縁にはそれぞれ内方に向かって湾曲状に凹んだ上腕宛用凹部３６が形成されている。
符号４１は切込み線を示し、この切込み線４１は首周り取付部３５の内周縁３９から外方に向かって複数放射状に延びている。
【００２２】
一回の打抜き加工により、本体３３と首周り取付部３５とからなる全体の外縁が打ち抜かれる。同時に、首当接範囲４３も打ち抜かれ、線打抜きにより切込み線４１が形成されて、図３に示す展開状態の紙製エプロン３１が製造される。この紙製エプロン３１では、本体３３と首周り取付部３５は一枚のシート状になっている。従って折畳みも容易である。
この紙製エプロン３１は、首周り取付部３５に頭を通し、本体３３で胸を覆うだけで着用が完了する。なお、首周り取付部３５に頭を通す際には、頭の大きさに対応して切込み線４１を画定する両側縁の離間により内周が拡大するので、幼児全般に対応することができる。
【００２３】
以上、本発明の実施の形態について詳述してきたが、具体的構成は、上記実施の形態に限られるものではなく、本発明の要旨を逸脱しない範囲における設計の変更、材質の変更などがあっても発明に含まれる。
例えば、上記の第１の実施の形態では、腰周り用帯状片が設けられているが、この腰周り用帯状片は必ずしも設ける必要はない。
【産業上の利用可能性】
【００２４】
本発明に係る紙製エプロンによれば、製造し易く、且つ畳み易い。しかも使い勝手もよい。
【符号の説明】
【００２５】
１‥‥紙製エプロン（第1の実施の形態）
３‥‥本体                              ５‥‥首宛用凹部
７‥‥小凹部                            ９‥‥大凹部
１１‥‥首周り用帯状片                  １３‥‥端部
１５‥‥差込み用スリット                １７‥‥首当接範囲
１９‥‥切込み線                        ２１‥‥破断予定の連結部
２３、２３‥‥一対の腰周り用帯状片      ２５‥‥端部
２７‥‥切込み線                        ２９‥‥破断予定の連結部
３１‥‥紙製エプロン（第２の実施の形態）
３３‥‥本体                            ３５‥‥首周り取付部
３７‥‥外周縁                          ３９‥‥内周縁
４１‥‥切込み線
【図１】
2010174420.tif 000003
【図２】
2010174420.tif 000004
【図３】
2010174420.tif 000005
【図４】
2010174420.tif 000006